(57)【要約】【課題】  記録再生特性の劣化を防止してこれを高く維持し、ディスク表面に傷が付くことを防止することができる光ディスクを提供する。【解決手段】  第１の記録密度の第１の記録層１２Ａを有す第１のディスク基板１２と、第１の記録密度よりも高い第２の記録密度の第２の記録層１４Ａを有す第２のディスク基板１４とを貼り合わした光ディスクＤにおいて、第１、第２のディスク基板のそれぞれの中心軸から所定の半径位置までの領域を第１領域とし、所定の半径位置から外周端までの領域を第２領域とするとき、第２のディスク基板の第１領域の厚さを第２の記録密度の記録方式における規格範囲内の厚さとする情報記録領域ＩＡとし、第２のディスク基板の第２領域の厚さを規格範囲外の第１領域の厚さよりも薄い情報が記録されない空白領域ＷＡとし、第１のディスク基板と第２のディスク基板の合計厚さが１．５ｍｍ以下の均一な値になるように構成する。【選択図】  図１
2006065955.tif 000002
【特許請求の範囲】
【請求項１】
第１の記録密度で記録される第１の記録層が積層された第１のディスク基板と、前記第１のディスク基板の径と同一の径を有し、前記第１の記録密度よりも高い第２の記録密度で記録された第２の記録層が積層された第２のディスク基板と、を前記第１、第２の記録層同士が対向配置するようにして貼り合わされた光ディスクにおいて、
前記第１、第２のディスク基板のそれぞれの中心軸から所定の半径位置までの領域を第１領域とし、前記所定の半径位置から外周端までの領域を第２領域とするとき、
前記第２のディスク基板の第１領域の厚さを前記第２の記録密度の記録方式における規格範囲内の厚さとする情報記録領域とし、
前記第２のディスク基板の第２領域の厚さを前記規格範囲外の前記第１領域の厚さよりも薄い情報が記録されない空白領域とし、
前記第１のディスク基板と前記第２のディスク基板の合計厚さが１．５ｍｍ以下であることを特徴とする光ディスク。
【発明の詳細な説明】
【技術分野】
【０００１】
本発明は、記録密度が互いに異なる２枚のディスク基板を貼り合わせてなる光ディスクに関する。
【背景技術】
【０００２】
近年、光ディスクの普及にはめざましいものがあり、音楽用、データベース用、コンピュータプログラム用等の記録媒体としてＣＤ（Ｃｏｍｐａｃｔ  Ｄｉｓｃ）が広く用いられている。また、上記ＣＤよりも高い記録密度で記録されて、上記ＣＤの記憶容量（６４０ＭＢ）の７倍以上の記憶容量を持つ４．７ＧＢのＤＶＤ（Ｄｉｇｉｔａｌ  Ｖｅｒｓａｔｉｌｅ  Ｄｉｓｃ）も規格化されて急速に普及してきている。
このような状況下において、光ディスクの汎用性を高めるために、片面はＣＤ用のディスクであり、他の片面はＤＶＤ用のディスクとなっている、いわゆる貼り合わせ型の光ディスクも開発されて特許文献１等に開示されている。
【０００３】
図４は上記したような異なる記録密度になされた２層の記録層を有する従来の貼り合わせ型の光ディスクの一例を示す構成図である。図４中において、この光ディスクは、透明な第１のディスク基板２と透明な第２のディスク基板４とを、それぞれの間に接着層６を介して接合して形成されている。具体的には、上記第１のディスク基板２の一面に、記録密度の低い例えばＣＤ用の凹凸状になされた記録層２Ａが形成され、上記第２のディスク基板４の一面に、記録密度の高い例えばＤＶＤ用の凹凸状になされた記録層４Ａが形成され、そして上記各記録層２Ａ、４Ａが対向するように上記第１及び第２のディスク基板２、４が貼り合わせられる。この光ディスクの中心部には、スピンドルモータ用の中心穴８が形成されている。この光ディスクでＣＤ用の記録層２Ａの情報を記録再生する場合には、記録再生用のレーザ光Ｌ１が第１のディスク基板２の表面（図中、下面）より入射され、またＤＶＤ用の記録層４Ａの情報を記録再生する場合には、記録再生用のレーザ光Ｌ２が第２のディスク基板４の表面（図中、上面）より入射する。
【０００４】
ここで上記ＣＤ用の記録層２Ａは、例えばリニアＰＣＭ（Ｐｕｌｓｅ  Ｃｏｄｉｎｇ  Ｍｏｄｕｌａｔｉｏｎ）方式の信号なので多くの記憶領域を必要とし、そのためＣＤ用の記録層２Ａは第１のディスク基板２の全面に亘って形成されている。これに対して、ＤＶＤ用の記録層４Ａは、例えばＤＶＤ−Ａｕｄｉｏの場合は静止画等は圧縮して記録され、また、音楽コンテンツの場合はロスレス圧縮して記録することができるので一般的には記憶容量は少なくて済み、従って、ＤＶＤ用の記録層４Ａは第２のディスク基板４の全面ではなく、その一部、図示例ではディスクの内周側に部分的に形成されて他の領域は空白領域１０となっている。ここでこの光ディスクの各部の寸法について説明すると、中心穴８の半径Ｒ１は７．５ｍｍであり、光ディスク全体の半径Ｒ２は６０ｍｍである。また光ディスク全体の厚さＴ１は１．８ｍｍである。
【０００５】
【特許文献１】特開平９−２６５６６７号公報
【発明の開示】
【発明が解決しようとする課題】
【０００６】
ところで、ＣＤやＤＶＤの規格書によれば、光ディスクの厚さの最大値は１．５ｍｍである。そして、この規格に準拠して設計製造されている光ディスク記録再生装置では、厚さが１．５ｍｍを超えている図４に示したように厚さ１．８ｍｍの光ディスクを記録再生する場合に、このディスク表面に傷を付けたり、クランプ力が不足してしまう、という問題があった。
このため、図４に示す従来の貼り合わせ型の光ディスクの厚みを薄くして厚さＴ１を１．５ｍｍ以下に設定することも考えられるが、この場合には、第１及び第２のディスク基板２、４の厚さをそれぞれ薄くしなければならないことから、これらのディスク基板２、４の厚さがそれぞれ適正値以下になってしまい、その結果、記録再生特性が劣化してしまう、という問題があった。
本発明は、以上のような問題点に着目し、これを有効に解決すべく創案されたものである。本発明の目的は、貼り合わせ型の光ディスクにおいて一方のディスク基板の情報を記録しない空白領域に関してディスク基板の厚さを薄くすることによって他方のディスク基板の記録層までの厚さを厚くして適正値に近付け、これによってディスク基板の厚さを適正値に近付けた部分の記録再生特性の劣化を防止してこれを高く維持すると共に、ディスク全体の厚さを所定値以下に均一値に維持し、ディスク表面に傷が付くことを防止することができる光ディスクを提供することにある。
【課題を解決するための手段】
【０００７】
請求項１に係る発明は、第１の記録密度で記録される第１の記録層が積層された第１のディスク基板と、前記第１のディスク基板の径と同一の径を有し、前記第１の記録密度よりも高い第２の記録密度で記録された第２の記録層が積層された第２のディスク基板と、を前記第１、第２の記録層同士が対向配置するようにして貼り合わされた光ディスクにおいて、前記第１、第２のディスク基板のそれぞれの中心軸から所定の半径位置までの領域を第１領域とし、前記所定の半径位置から外周端までの領域を第２領域とするとき、前記第２のディスク基板の第１領域の厚さを前記第２の記録密度の記録方式における規格範囲内の厚さとする情報記録領域とし、前記第２のディスク基板の第２領域の厚さを前記規格範囲外の前記第１領域の厚さよりも薄い情報が記録されない空白領域とし、前記第１のディスク基板と前記第２のディスク基板の合計厚さが１．５ｍｍ以下になるように構成したことを特徴とする光ディスクである。
【発明の効果】
【０００８】
本発明に係る光ディスクによれば、次のように優れた作用効果を発揮することができる。
貼り合わせ型の光ディスクにおいて一方のディスク基板の情報を記録しない空白領域に関してディスク基板の厚さを薄くすることによって他方のディスク基板の記録層までの厚さを厚くして適正値に近付け、これによってディスク基板の厚さを適正値に近付けた部分の記録再生特性の劣化を防止してこれを高く維持すると共に、ディスク全体の厚さを所定値以下の均一値に維持し、ディスク表面に傷が付くことを防止することができる。
【発明を実施するための最良の形態】
【０００９】
以下に、本発明に係る光ディスクの一実施例を添付図面に基づいて詳述する。
図１は本発明に係る光ディスクを示す断面図、図２は図１中のＡ部の拡大図、図３は本発明の光ディスクの製造工程を示す図である。
図示するように、この光ディスクＤは、一面に第１の記録層１２Ａを有する透明な第１のディスク基板１２と一面に第２の記録層１４Ａを有する透明な第２のディスク基板１４とを、その間に接着層１６を介して貼り合わせて形成されている。この場合、上記第１及び第２のディスク基板１２、１４は、中心軸が同一で、且つ同一径になされ、各記録層１２Ａ、１４Ａを互いに対向させて貼り合わせてある。また、第１及び第２のディスク基板１２、１４は、それぞれポリカーボネート樹脂のような透明な材料により成形されている。そして、この光ディスクＤの中心部には、スピンドルモータ用の中心穴１８が形成されている。
【００１０】
具体的には、図３にも示すように、上記第１のディスク基板１２の一面には、凹凸状の所定の記録密度である第１の記録密度になされた第１の記録層１２Ａが形成されており、第２のディスク基板１４の一面には、凹凸状の第２の記録密度になされた第２の記録層１４Ａが形成されている。ここで上記第２の記録密度は、第１の記録密度よりも高く設定されており、例えば第１の記録層１２ＡはＣＤ用の記録方式で形成され、第２の記録層１４ＡはＤＶＤ用の記録方式で形成されている。この場合、記録密度の高いＤＶＤ用、すなわち第２の記録層１４Ａを有する第２のディスク基板１４側が、規格書通りの寸法値で形成されることが求められる。
上記第１及び第２の記録層１２Ａ、１４Ａの表面には、図２の拡大図で示すように、それぞれ例えばＡｌよりなる反射膜２０、２２により全体的に覆われている。また、上記第１及び第２のディスク基板１２、１４の各外側表面は、例えば無機微粒子を分散させた紫外線硬化型樹脂を紫外線照射により硬化させた膜よりなるハードコート層２４、２６により覆われており、ディスク表面の傷付き防止を図っている。尚、上記反射膜２０、２２やハードコート層２４、２６の厚さは、各ディスク基板１２、１４の厚さに対して無視し得る程度に薄い厚さである。
【００１１】
そして、この光ディスクＤでＣＤ用の記録層１２Ａの情報（使用者の使用するデータ）を記録再生する場合には、記録再生用のレーザ光Ｌ１が第１のディスク基板１２の表面（図中、下面）より入射され、またＤＶＤ用の記録層１４Ａの情報を記録再生する場合には、記録再生用のレーザ光Ｌ２が第２のディスク基板１４の表面（図中、上面）より入射する。
ここでＣＤ用の第１の記録層１２Ａは、第１のディスク基板１２の全面に亘って形成されており、全面が使用者の利用するデータを記録する情報記録領域（データ領域）になっている。尚、このデータ領域の内側には、データ領域の開始を示すリードイン情報（リードイン領域）が形成され、外側にはデータ領域の終了を示すリードアウト情報（リードアウト領域）が形成されている。
【００１２】
これに対して、ＤＶＤ用の第２の記録層１４Ａは、第２のディスク基板１４の全面ではなくて内周側（中心軸から所定の半径位置）の一部に形成されており、この内周側の部分が使用者の利用するデータを記録する情報記録領域（データ領域）ＩＡ、すなわち第１の領域になっている。そして、第２のディスク基板１４の外周側、すなわち情報記録領域ＩＡの外周側（上記所定の位置から外周端）は、情報（使用者の利用するデータ）が何ら記録されない空白領域ＷＡ、すなわち第２の領域となっている。この場合にも、上記情報記録領域ＩＡの内側には、データ領域の開始を示すリードイン情報（リードイン領域）が形成され、また上記情報記録領域ＩＡの外側である空白領域ＷＡにはデータ領域の終了を示すリードアウト情報（リードアウト領域）が形成されている。この情報記録領域ＩＡには、図４を参照して説明したように、例えばＤＶＤ−Ａｕｄｉｏの場合は静止画等は圧縮して記録され、音楽コンテンツの場合はロスレス圧縮して記録される。
【００１３】
そして、ここでは第１及び第２のディスク基板１２、１４の厚さは半径方向の途中でその厚さをそれぞれ変化させている。すなわち、第２のディスク基板１４の内周側、すなわち情報記録領域ＩＡの部分の厚さｔ１は、このＤＶＤ用の記録方式における基板厚さの規格範囲内の値に設定している。そして、第２のディスク基板１４の外周側、すなわち情報の記録されない空白領域ＷＡの厚さｔ２を上記規格範囲よりも薄く設定し、そして、この薄くなった分だけ、第１のディスク基板１２の外周側の厚さを厚く設定し、ディスク全体の厚さを１．５ｍｍ以下の均一な値、例えば１．５ｍｍに設定している。具体的には、ＤＶＤ用の基板厚さの規格範囲は０．５５〜０．６４ｍｍであり、上記厚さｔ１は規格範囲内の例えば０．５６ｍｍに設定され、上記厚さｔ２は規格範囲外の例えば０．４９ｍｍに設定されている。ここで、第２のディスク基板１４の厚さが”ｔ１”から”ｔ２”へ変化する部分は直線状に傾斜して厚さが変化する厚さ変化部分２８となっている。
【００１４】
ここでディスクの半径方向の各距離をＲ１〜Ｒ４とすると、中心穴１８の半径Ｒ１は７．５ｍｍ、ディスク全体の半径Ｒ４は６０ｍｍである。そして、上記厚さ変化部分２８の内径をＲ２、外径をＲ３としている。この厚さ傾斜部分２８は、光ディスクの信号形成領域である半径２４ｍｍ〜５８ｍｍの間の途中に設けられており、その傾き”θ”は、ｔａｎ−１（ｔ１−ｔ２）／（Ｒ３−Ｒ２）で与えられる。
この傾き”θ”（図３参照）はＣＤやＤＶＤ規格で定めている半径方向の傾き規格以内となるように設定することが必要であり、好ましくは規格値の半分以下に設定するのがよい。例えばＣＤを例にとれば、この規格値は０．８度であり、その半分は０．４度（７ｍｒａｄ）となる。この数値は、上記厚さ変化部分２８の長さ（Ｒ３−Ｒ２）を１０ｍｍとすれば、厚さの変化（ｔ２−ｔ１）は０．０７ｍｍに対応する。
この場合、ディスク全体の厚さを約１．５ｍｍとし、接着層１６の厚さを０．０２ｍｍとすると、第１のディスク基板１２の内周側の厚さＴ１が０．９ｍｍの時、この外周側の厚さＴ２が０．９７ｍｍになる。尚、第２のディスク基板１４の厚さｔ１、ｔ２は、前述したようにそれぞれ０．５６ｍｍ及び０．４９ｍｍである。
【００１５】
上記のようにＣＤ用の第１のディスク基板１２の厚さを０．９ｍｍから０．９７ｍｍに高くすることは、ＣＤ基板の厚さの規格範囲が１．１〜１．５ｍｍである点を考慮すると、第１のディスク基板１２の厚さをより厚くして適正値である１．１ｍｍに近付ける程、記録再生特性を向上できるので、第１のディスク基板１２の厚さＴ２が０．９７ｍｍの部分（ディスク外周側）は、厚さＴ１が０．９ｍｍの部分（ディスク内周側）と比較して、その記録再生特性の劣化をより少なくしてこの記録再生特性を高く維持することができる。
換言すれば、ＤＶＤ用の基板である第２のディスク基板１４の内で、情報の記録再生に使用しない領域（空白領域ＷＡに対応）の部分の基板厚さを薄くし、その分、これに対応するＣＤ用の基板である第１のディスク基板１２の厚さをより厚く設定して、この部分、すなわち厚さＴ２が０．９７ｍｍになった部分の情報の記録再生特性の劣化を防止することができる。すなわち、基板の厚さＴ１、Ｔ２は、ＣＤ用の基板厚さの規格値よりも小さいが、基板の厚さをより規格値に近付ける程、その部分の情報の記録再生特性の劣化をより防止することができる。
【００１６】
またディスク全体の厚さは、ＣＤやＤＶＤの規格の上限値である１．５ｍｍ以内になるように設定しているので、記録再生時にディスク表面に傷が付くことを略確実に防止することができる。この場合、特に、各ディスク基板１２、１４の表面には、それぞれハードコート層２４、２６（図２参照）が形成されているので、その分、ディスク表面に傷が付くことを更に確実に防止することができる。
尚、上記実施例におけるｔ１、ｔ２、Ｔ１、Ｔ２、Ｒ１〜Ｒ４の各寸法は単に一例を示したに過ぎず、これらの値に限定されないのは勿論である。また記録方式についてもＣＤ記録方式とＤＶＤ記録方式の組み合わせについて説明したが、これに限定されず、他の記録方式の組み合わせ等にも本発明を適用することができるのは勿論である。
【図面の簡単な説明】
【００１７】
【図１】本発明に係る光ディスクを示す断面図である。
【図２】図１中のＡ部の拡大図である。
【図３】本発明の光ディスクの製造工程を示す図である。
【図４】異なる記録密度になされた２層の記録層を有する従来の貼り合わせ型の光ディスクの一例を示す構成図である。
【符号の説明】
【００１８】
１２…第１のディスク基板、１２Ａ…第１の記録層、１４…第２のディスク基板、１４Ａ…第２の記録層、１６…接着層、２０，２２…反射層、２４，２６…ハードコート層、２８…厚さ変化部分、Ｄ…光ディスク、ＩＡ…情報記録領域、ＷＡ…空白領域。
【図１】
2006065955.tif 000003
【図２】
2006065955.tif 000004
【図３】
2006065955.tif 000005
【図４】
2006065955.tif 000006